(57)【要約】本発明は、複数の細胞を含む試料から、該試料に含まれる特定の細胞を検出するための検出方法を提供することを目的とする。本発明により、複数のマイクロチャンバーを備えており、該マイクロチャンバー１つあたりに複数の細胞を単層に格納可能であり、表面の水接触角が１０°以下であり、該マイクロチャンバーの（内径：深さ）の比が（１：０．３５〜１）であり、以下の（ｉ）（ｉｉ）の条件のいずれか一方又は両方を満たす、マイクロアレイチップが提供される。（ｉ）最外部に存在するマイクロチャンバーの開口部の中心を直線でつないで囲った領域の面積を１００％とし、その領域におけるマイクロチャンバー開口部以外の部分が占める面積比率を間隙率としたとき、間隙率が０％より大きく４５％以下である。（ｉｉ）マイクロチャンバーとマイクロチャンバーとの間隔が、３５μｍ以下である。
2015034011.tif 000002
【特許請求の範囲】
【請求項１】
複数のマイクロチャンバーを備えており、該マイクロチャンバー１つあたりに複数の細胞を単層に格納可能であり、表面の水接触角が１０°以下であり、該マイクロチャンバーの（内径：深さ）の比が（１：０．３５〜１）であり、以下の（ｉ）（ｉｉ）の条件のいずれか一方又は両方を満たす、マイクロアレイチップ。
（ｉ）最外部に存在するマイクロチャンバーの開口部の中心を直線でつないで囲った領域の面積を１００％とし、その領域におけるマイクロチャンバー開口部以外の部分が占める面積比率を間隙率としたとき、間隙率が０％より大きく４５％以下である。
（ｉｉ）マイクロチャンバーとマイクロチャンバーとの間隔が、３５μｍ以下である。
【請求項２】
前記マイクロチャンバーが、内径が２０〜５００μｍ、深さが２０μｍ以上である、請求項１に記載のマイクロアレイチップ。
【請求項３】
複数の細胞を含む試料から、該試料に含まれる特定の細胞を検出するための検出方法であって、
（１）複数のマイクロチャンバーを備えたマイクロアレイチップであって、該マイクロチャンバー１つあたりに複数の細胞を格納可能であるマイクロアレイチップに、該試料中の細胞を保持させる工程、及び
（２）該マイクロアレイチップに保持された細胞において、特定の細胞の有無を検出する工程
を含み、
前記マイクロアレイチップの表面の水接触角が１０°以下であり、
前記マイクロチャンバーの（内径：深さ）の比が（１：０．３５〜１）であり、
さらに前記マイクロアレイチップが、以下の（ｉ）（ｉｉ）の条件のいずれか一方又は両方を満たす、
検出方法。
（ｉ）前記マイクロアレイチップの最外部に存在するマイクロチャンバーの開口部の中心を直線でつないで囲った領域の面積を１００％とし、その領域におけるマイクロチャンバー開口部以外の部分が占める面積比率を間隙率としたとき、前記マイクロアレイチップの間隙率が０％より大きく４５％以下である。
（ｉｉ）前記マイクロアレイチップの、マイクロチャンバーとマイクロチャンバーとの間隔が、３５μｍ以下である。
【請求項４】
前記マイクロチャンバーが、内径が２０〜５００μｍ、深さが２０μｍ以上である、請求項３に記載の検出方法。
【請求項５】
前記特定の細胞が動物由来細胞である、請求項３又は４に記載の検出方法。
【請求項６】
前記複数の細胞を含む試料の細胞濃度が１×１０６〜１×１０８ｃｅｌｌｓ／ｍｌである、請求項３〜５のいずれかに記載の検出方法。
【発明の詳細な説明】
【技術分野】
【０００１】
本発明は、複数の細胞を含む試料から、該試料に含まれる特定の細胞を検出するための検出方法に関する。また、本発明は、複数の細胞を含む試料から、該試料に含まれる特定の細胞を検出するための検出用キットに関する。また、本発明は、複数のマイクロチャンバーを備えており、該マイクロチャンバー１つあたりに複数個の細胞を格納可能であるマイクロアレイチップに関する。さらにまた、本発明は、複数のマイクロチャンバーを備えたマイクロアレイチップを用いて薬剤候補物質をスクリーニングする方法に関する。
【背景技術】
【０００２】
様々な種類の複数の細胞が含まれる試料から特定の細胞のみを検出することは、非常に幅広い分野にわたって必要とされている。特に医学、薬学に関連するバイオテクノロジーの研究開発及び臨床現場においては、多数の細胞中において、特定の細胞（例えば、特定の物質を有する又は産出する細胞、あるいは病原菌に感染した細胞や癌細胞等）の有無を検出することは、実験の進行や病気の診断のために非常に重要である。【０００３】
しかしながら、特に特定の細胞の存在割合が低い場合、多くの細胞が存在する試料中から当該特定の細胞を検出することは困難である。【０００４】
例えば、感染症の一つとして、マラリア原虫が赤血球細胞に感染することにより生じるマラリア原虫感染症があるが、該感染症の検出・診断方法としては次のものが例示される。【０００５】
例えば、血液細胞をスライドガラスに塗抹、乾燥し、ギムザ染色した後に顕微鏡下でマラリア原虫による感染の有無・程度を観察する方法がある。該方法は染色操作を行うだけで顕微鏡による観察が可能であり、簡便という利点を有する。しかしながら、該方法による検出・診断には時間と高度な観察技術を必要とし、さらに検出感度は非常に低い。例えば、該方法の所要時間は４０分と長く、全血液細胞のうち少なくとも０．０１％程度の細胞が感染している場合にかろうじて検出できる程度であり、検出感度（検出限界）は高くない。【０００６】
別の例としては、イムノクロマトグラフィー法を利用してマラリア原虫による感染の有無・程度を検査・診断する方法がある。該方法も広く知られており、検査が簡便に実施できるように検査キットも販売されている。このため、このような検査キットを使用した場合には、さらに簡単な操作で感染の有無・程度を観察できる。イムノクロマトグラフィー法の所要時間は２０分程度と短時間ではあるが、その検出感度は顕微鏡下での観察と同程度であり高くない。また、イムノクロマトグラフィー法は擬陽性も出やすいことから前述の顕微鏡下での観察との併用が常である。【０００７】
別の方法としては、ＰＣＲ法を利用してマラリア原虫による感染の有無・程度を検査・診断する方法がある。該方法は、前述の顕微鏡下での観察等とは異なり比較的高い検出感度を有する。しかしながら、ＰＣＲ法では結果を得るまでに５時間程度を要し、また操作が煩雑で高度な技術を要する。また、試料の状態やプライマーによっては反応条件設定が難しく検出できない場合もある。従ってＰＣＲ法単独では感染診断には向いていない。【０００８】
このように、例えばマラリア原虫感染症において、従来の検出・診断方法には検出までに長時間を要する、高度な技術を要する、検出感度が低い等の欠点がある。このため、迅速、簡便かつ検出感度が高い新しい感染症の検出方法が求められている。【０００９】
一方、これまでに種々のマイクロアレイチップが報告されており、細胞の検出等に応用されている。例えば、特許文献１には、マイクロチャンバーを集積化し、ヒーター等と連結し、ハイスループットに生体試料の生化学反応等を行うシステムが報告されている。しかしながら、該システムは細胞レベルで検出できるほど感度が高いとはいえず、膨大な数の細胞中に混在する少数の標的細胞を高感度に検出することは困難である。【００１０】
また、特許文献２には、ポリマーを基板上にパターニングして、これに何らかの物質を固定させ、固定された該物質に細胞を作用させることにより、該物質の細胞に対する作用を観察する技術が報告されている。しかしながら、該技術においては各パターンに一定数の細胞を固定化することは困難であり、また膨大な数の細胞中に混在する少数の標的細胞を高感度に検出することは困難である。【００１１】
また、特許文献３には、１つのリンパ球が格納されるように設計されたマイクロウェルを多数集積化したアレイチップが報告されている。しかしながら、該マイクロウェルには一細胞しか導入できないため、アレイチップ上に集積化されたマイクロウェル数以上の細胞をスクリーニングすることは困難である。従って、当該アレイチップにおいても、膨大な数（１００〜１０００万個）の細胞中に混在する少数の標的細胞を高感度に検出することは困難である。またさらに、当該アレイチップのマイクロウェルでは、導入された細胞をさらに培養やPCRすることは極めて困難であると考えられる。【００１２】
このように、従来のマイクロアレイチップを用いる方法であっても、膨大な数の細胞中に混在する少数の標的細胞（特定の細胞）を高感度に検出することは困難である。
このことから、例えば前述のマラリア原虫感染症をはじめとする種々の感染症に感染した細胞、また、これ以外の種々の標的細胞（特定の細胞）を迅速、簡便かつ高感度に検出可能な新しい検出手段が求められている。また、ベッドサイド等でも容易に使用可能な新しい検出手段が求められている。【００１３】
このような検出手段の好適な例として、本発明者らは既に、マイクロチャンバーの大きさ（特に縦横の比率）やチップ表面の水接触角が特定の範囲の値を有するマイクロチップを報告している（特許文献４）。当該チップによれば、膨大な数の細胞中に混在する少数の標的細胞（特定の細胞）を高感度に検出することができる。具体的には、当該チップ上へ多数の細胞を含むサンプルを展開して細胞を各マイクロチャンバーに格納し、過剰な細胞をマイクロアレイチップから除去（洗浄）することにより、各マイクロチャンバー内にほぼ均一に単層として細胞を格納することができる。特定の大きさのマイクロチャンバーや特定の水接触角を有することにより、測定サンプルを適用した際に各マイクロチャンバー内に単層として細胞を格納されなかった場合にも、洗浄することによって各マイクロチャンバー内にほぼ均一に単層として細胞を格納することができるのである。このために種々の利点を得ることができる。例えば、（ｉ）マイクロチャンバー内で細胞が重なり、検出標的である特定の細胞が他の細胞の下に位置することになって、検出が困難になるなどの問題が起きにくい、（ｉｉ）顕微鏡で観察する際に焦点を容易に合わせることができるし、共焦点レーザー顕微鏡による観察においても、バックグラウンドを抑制でき、高感度での観察が可能となる、（ｉｉｉ）単層に格納された細胞上に別の種類の細胞をのせて、それぞれの細胞の相互作用を簡便かつ効率よく検討することができる、などといった利点を得ることができる。【００１４】
しかし、裏を返せば、当該チップを用いる場合には、検出のために用いるサンプル（例えば血液）をチップに適用した後に、細胞をマイクロアレイチップから除去（洗浄）する必要があるケースが多く存在するということであり、このためにサンプルに含まれる多くの細胞を無駄にしてしまうという問題があった。
【先行技術文献】
【特許文献】
【００１５】
【特許文献１】特表２００４−５０２９２９号公報
【特許文献２】特開２００４−１２５７８１号公報
【特許文献３】特開２００４−１８７６７６号公報
【特許文献４】国際公開第２０１０／０２７００３号
【発明の概要】
【発明が解決しようとする課題】
【００１６】
本発明は、できる限りサンプル中に存在する細胞を無駄にすることなく、膨大な数の細胞中に混在する少数の標的細胞（特定の細胞）を高感度に検出できる方法を提供することを目的とする。
【課題を解決するための手段】
【００１７】
本発明者らが上記課題に鑑み鋭意検討を行ったところ、上記特許文献４において報告したマイクロチップの特性を備えつつ、さらに、マイクロアレイチップの最外部に存在するマイクロチャンバー開口部の中心を直線でつないで囲った領域の面積を１００％とし、その領域におけるマイクロチャンバー開口部以外の部分が占める面積比率を間隙率としたとき、前記マイクロアレイチップの間隙率が０％より大きく４５％以下であるマイクロチップを用いることにより、標的とする特定の細胞を迅速、簡便かつ高感度に検出することができ、さらにサンプルに含まれる細胞のロスも抑えられることを見出した。さらには、当該マイクロチップでは、各マイクロチャンバーの形状を統一することにより、各マイクロチャンバーに概ね同数の細胞を格納することができ、これにより一つのチップにおいて解析される細胞数を迅速に見積もることも可能となった。【００１８】
本発明は上記知見に基づきさらに検討を重ねた結果完成されたものであり、例えば以下の項に記載の発明を包含する。
項１．
複数のマイクロチャンバーを備えており、該マイクロチャンバー１つあたりに複数の細胞を単層に格納可能であり、表面の水接触角が１０°以下であり、該マイクロチャンバーの（内径：深さ）の比が（１：０．３５〜１）であり、以下の（ｉ）（ｉｉ）の条件のいずれか一方又は両方を満たす、マイクロアレイチップ。
（ｉ）最外部に存在するマイクロチャンバーの開口部の中心を直線でつないで囲った領域の面積を１００％とし、その領域におけるマイクロチャンバー開口部以外の部分が占める面積比率を間隙率としたとき、間隙率が０％より大きく４５％以下である。
（ｉｉ）マイクロチャンバーとマイクロチャンバーとの間隔が、３５μｍ以下である。
項２．
前記マイクロチャンバーが、内径が２０〜５００μｍ、深さが２０μｍ以上である、項１に記載のマイクロアレイチップ。
項３．
複数の細胞を含む試料から、該試料に含まれる特定の細胞を検出するための検出方法であって、
（１）複数のマイクロチャンバーを備えたマイクロアレイチップであって、該マイクロチャンバー１つあたりに複数の細胞を格納可能であるマイクロアレイチップに、該試料中の細胞を保持させる工程、及び
（２）該マイクロアレイチップに保持された細胞において、特定の細胞の有無を検出する工程
を含み、
前記マイクロアレイチップの表面の水接触角が１０°以下であり、
前記マイクロチャンバーの（内径：深さ）の比が（１：０．３５〜１）であり、
さらに前記マイクロアレイチップが、以下の（ｉ）（ｉｉ）の条件のいずれか一方又は両方を満たす、
検出方法。
（ｉ）前記マイクロアレイチップの最外部に存在するマイクロチャンバーの開口部の中心を直線でつないで囲った領域の面積を１００％とし、その領域におけるマイクロチャンバー開口部以外の部分が占める面積比率を間隙率としたとき、前記マイクロアレイチップの間隙率が０％より大きく４５％以下である。
（ｉｉ）前記マイクロアレイチップの、マイクロチャンバーとマイクロチャンバーとの間隔が、３５μｍ以下である。
項４．
前記マイクロチャンバーが、内径が２０〜５００μｍ、深さが２０μｍ以上である、項３に記載の検出方法。
項５．
前記特定の細胞が動物由来細胞である、項３又は４に記載の検出方法。
項６．
前記複数の細胞を含む試料の細胞濃度が１×１０６〜１×１０８ｃｅｌｌｓ／ｍｌである、項３〜５のいずれかに記載の検出方法。
【発明の効果】
【００１９】
検出方法
本発明の検出方法によれば、従来の検出方法と比較して、複数の細胞を含む試料から、細胞を無駄に消費することを抑えつつ、該試料に含まれる特定の細胞を迅速、簡便かつ高感度に検出することができる。
検出用キット
本発明の検出用キットによれば、複数の細胞を含む試料から、細胞を無駄に消費することを抑えつつ、標的とする特定の細胞を迅速、高感度かつより簡便に検出することができる。【００２０】
マイクロアレイチップ
本発明のマイクロアレイチップによれば、複数の細胞を含む試料から、細胞を無駄にすることを抑えつつ、標的とする特定の細胞を迅速、高感度かつより簡便に検出することができる。【００２１】
薬剤候補物質のスクリーニング方法
本発明の薬剤候補物質のスクリーニング方法により、種々の薬剤候補物質が細胞に与える影響を簡便かつ迅速に測定し、所望の活性を示す物質を効率よく選択することができる。
【図面の簡単な説明】
【００２２】
【図１ａ】マイクロチャンバーの開口部（１０個）の存在位置関係の一例を示す。
【図１ｂ】図１ａに記載の１０個の開口部を、（１）：直線でつながれる中心の数が最小になるように、かつ（２）：直線でつないで囲った領域内に、全ての開口部の中心が含まれるように、開口部の中心を直線でつないだ図である。
【図１ｃ】開口部の中心を直線でつないだ図（一例）である。
【図１ｄ】開口部の中心を直線でつないだ図（一例）である。
【図２ａ】開口部が円であって格子状に整列している場合において、（１）：直線でつながれる中心の数が最小になるように、かつ（２）：直線でつないで囲った領域内に、全ての開口部の中心が含まれるように、開口部の中心を直線でつないだ図である。
【図２ｂ】開口部が正六角形であって格子状に整列している場合において、（１）：直線でつながれる中心の数が最小になるように、かつ（２）：直線でつないで囲った領域内に、全ての開口部の中心が含まれるように、開口部の中心を直線でつないだ図である。
【図３】マイクロチャンバー（円筒型）の模式図を示す。
【図４】縦５０個、横２００個になるようにマイクロチャンバーを配置させ、各マイクロチャンバーに１００個ずつ血液細胞を格納させたマイクロアレイチップにおいて、１つのマイクロチャンバーあたり１つの感染した血液細胞が検出されたマイクロアレイチップの例を示す。
【図５】開口部が正六角形のマイクロアレイチップを示す。
【図６】開口部が正六角形のマイクロアレイチップに細胞（赤血球細胞）が均一に一層（単層）に保持されている図を示す。
【図７】図７は、水接触角による細胞展開率の差異を示す。左に示すマイクロアレイチップの表面の水接触角は８０度であり、チャンバーに細胞がほとんど入らない（細胞展開率１０％以下）。中央に示すマイクロアレイチップの表面の水接触角は２５度であり、細胞が入らないチャンバーがいくつか存在する（細胞展開率４０％程度）。右に示すマイクロアレイチップの表面の水接触角は１０度であり、ほとんどのチャンバーに一定量の細胞が存在する（細胞展開率９０％以上）。
【図８】図８は、内径及び深さの異なるマイクロチャンバーを備えた３種のマイクロアレイチップにおいて、マイクロチャンバーに赤血球細胞が格納された様子を示す。
【図９】開口部が正六角形のマイクロアレイチップに細胞（白血球）が均一に一層（単層）に保持されている図を示す。
【図１０】マイクロチャンバー間の間隔が３０μｍのマイクロアレイチップと、当該間隔が４０μｍのマイクロアレイチップとを用い、それぞれのチップを用いて洗浄工程を行うことなく赤血球を検出した場合の検出結果を示す。
【図１１】マイクロチャンバー間の間隔が３０μｍのマイクロアレイチップと、当該間隔が４０μｍのマイクロアレイチップとを用い、それぞれのチップを用いて洗浄工程を行うことなく白血球を検出した場合の検出結果を示す。
【発明を実施するための形態】
【００２３】
以下、本発明の検出方法について説明する。
【００２４】
本発明の検出方法では、１つのマイクロアレイチップに、多数の細胞を保持させ、この中から検出標的となる特定の細胞を検出する。例えば１００万個程度という多数の細胞であっても１つのマイクロアレイチップに保持させることができ、そしてこのうち標的とする特定の細胞が一つしか存在しない場合であっても、この特定の細胞を検出することができる。この場合、本発明の検出方法によれば細胞が試料中に０．０００１％しか存在していなくとも、特定の細胞を検出することが可能であるといえる。
【００２５】
本発明の検出方法において、検出標的となる特定の細胞、及びこれを含む多数の細胞（すなわち、細胞群）は、本発明の効果が奏されるものであれば特に限定されない。
【００２６】
例えば、特定の遺伝子を発現している細胞や、核酸、タンパク質、脂質、糖等の生体物質が通常より過剰である、又は不足している細胞を、特定の細胞として種々の細胞群から検出することができる。このような特定の細胞は自然界に存在する細胞であってもよいし、人為的処理が施された細胞であってもよい。当該自然界に存在する細胞としては、特に限定されないが、例えば病原細胞、病変細胞、病原菌又は病原生物に感染された細胞、突然変異した細胞、特定の性質を有する未知の細胞等が挙げられる。また、当該人為的処理は特に限定されないが、例えば物理的処理（例：電磁波照射）、化学的処理（例：薬剤処理）、遺伝子工学的処理（例：遺伝子組み換え処理）等を挙げることができる。
【００２７】
また、このような人為的処理のうち、細胞に与える影響が既知である処理を細胞群に施し、当該影響が表れない細胞又は当該影響がより強く表れる細胞を特定の細胞として検出することもできる。例えば、薬剤処理へ耐性又は高感受性を示す細胞を特定の細胞として検出することができる。
【００２８】
また、当該細胞群も本発明の効果が奏される限り特に限定はされない。単細胞生物の群はもちろん、多細胞生物由来の細胞の群であってもよい。多細胞生物由来の細胞としては、例えば生物の正常組織又は病態組織から得られた細胞、及びこれらの細胞に由来する培養細胞等が挙げられる。また、これらの細胞を得る生物も本発明の効果が奏される限り特に限定されない。例えば動物由来細胞又は植物由来細胞であってよく、より具体的には例えば脊椎動物（特に哺乳類及び鳥類）由来細胞、昆虫由来細胞、植物培養細胞等を挙げることができるが、これらに限定されない。また、同一の細胞の群であっても、複数種の細胞が混在する群であってもよい。
【００２９】
本発明の検出方法を用いて特定の細胞を検出する、より具体的な例としては、例えば、マラリア原虫感染症患者の血液細胞中から、マラリア原虫感染赤血球を検出する例が挙げられる。マラリア原虫感染症であれば、１００万個程度という多数の血液細胞中感染した血液細胞が一つしか存在しない場合であっても、この感染した血液細胞を検出することができる。
【００３０】
また、例えば、血中に存在する癌細胞を探索、検出するにあたっても好ましく用いることができる。特に、癌が転移する際に、癌細胞が血液やリンパ液の流れに乗って循環し、離れた臓器にまで転移することが知られている。このように血液中に循環している癌細胞は血中循環腫瘍細胞（Circulating Tumor Cell：CTC）と呼ばれ、転移性の癌症例において治療効果の判定や予後予測因子として有用性が認められており、ＣＴＣを検出できることは極めて有用である。
【００３１】
また、例えば、妊娠女性の血中に存在する胎児由来の有核赤血球の検出に好ましく用いることができる。胎児由来の有核赤血球は、出生前診断に有用であり、特に母体にほとんど負担をかけることなく出生前診断を可能とする点で有用である。
あるいはまた、例えば、癌細胞群中に存在する癌幹細胞を探索するにあたっても、好ましく用いることができる。例えば、体液（血液やリンパ液等が例示される）中に存在する癌細胞中に存在する癌幹細胞や、腫瘍を各細胞へと解離させた後にそれらの細胞中に存在する癌幹細胞を探索するために用いることができる。
【００３２】
さらに、例えば、人為的処理された細胞の群のなかから、当該処理により特定の性質を有するようになった細胞を選択することができる。
【００３３】
また、特に強く当該特定の性質を有する細胞を選択することもできる。より具体的には、例えば、遺伝子組み換え処理により特定の物質を生産するよう形質転換させた複数の細胞の中から、特に効率よく当該物質を生産する細胞を検出することもできる。あるいは、例えば、電磁波照射処理若しくは薬剤処理により特定の機能を失った細胞を検出することができる。また、これらの処理に対し耐性又は高感受性を有する細胞を検出することができる。
【００３４】
また、本発明の検出方法は、研究室のみならず、例えば臨床現場等においても好適に用いることができる。
【００３５】
また、本発明の検出方法では、複数の細胞（細胞群）をマイクロアレイチップが備える各マイクロチャンバーに格納（保持）させた後、この格納された細胞中、検出標的である特定の細胞を特異的に検出し得る標識を施すことができる。また、複数の細胞（細胞群）を含む試料において、検出標的とする特定の細胞をあらかじめ標識しておくことも可能である。特定の細胞を予め標識しておく方が、標識効率が均一になりやすいため、好ましい。このような標識の方法としては特に限定されず、検出標的である特定の細胞の性質に応じて適宜選択することができる。検出の簡便性及び毒性等を考慮すると、特に蛍光標識が好適である。そして、該標識の有無（例えば蛍光標識の有無）に基づき当該特定の細胞を検出することができ、さらに、検出される標識の数（例えば蛍光標識の数）に基づけば、試料中の細胞のうち特定の細胞がどの程度存在しているのかについて定量的な分析を行うこともできる。またさらに、該標識の強度（例えば蛍光標識の蛍光強度）に基づき、検出した特定の細胞が有する性質の強度を分析することもできる。具体的には例えば、標的とする特定の細胞が感染症病原体に感染された血液細胞である場合は、当該定量的データや個々の細胞の標識の強さ（例えば蛍光標識の場合は蛍光強度）に着目することにより、感染症の重傷度やステージを分析することもできる。
【００３６】
また、本発明の検出方法によれば、マイクロアレイチップに備えられたマイクロチャンバー内に細胞が格納される。このため、本願の検出方法においては、検出時、標的とする特定の細胞がマイクロアレイチップのどの部分に存在しているのかが分かり易い。このことから、検出後、当該特定の細胞の回収やＰＣＲ法による更なる分析等を容易に行うことができる。
【００３７】
また、本発明の検出方法においては、マイクロアレイチップに備えられた各マイクロチャンバー内に細胞を均一かつ効率よく格納させることが可能である。すなわち、本願の検出方法においては、マイクロアレイチップに備えられた各マイクロチャンバーが同じ形状である場合には、ほぼ同数の細胞を格納させることができる。
【００３８】
本発明の検出方法を適用できる、複数の細胞を含む試料は、本発明の効果を奏することができるものであれば特に限定されず、検出標的となる特定の細胞が存在する細胞群を含む可能性のある試料であればよい。このような細胞群及び検出標的となる特定の細胞としては、例えば以下に挙げるものが好ましい。
【００３９】
本発明の検出方法により、特に感染症における感染血液細胞を好ましく検出することができる。感染症としては、マラリア原虫類に代表される原虫感染症、ヒト免疫不全ウイルス（ＨＩＶ）に代表されるウイルス感染症、結核菌に代表される細菌感染症等が例示される。
【００４０】
これらの感染症のうち、例えばマラリア原虫類による感染症では、マラリア原虫類が赤血球に感染する。この場合、本発明の検出方法における検出対象である特定の細胞はマラリア原虫類に感染した血液細胞、すなわちマラリア原虫類に感染した赤血球である。マラリア原虫類は、熱帯熱マラリア原虫、三日熱マラリア原虫、四日熱マラリア原虫及び卵形マラリア原虫の４種類が例示される。
【００４１】
また、例えばＨＩＶ感染症では、ＨＩＶがある種のリンパ球（Ｔ細胞）に感染する。この場合、本発明の検出方法における検出対象である特定の細胞は、ＨＩＶに感染した血液細胞、すなわちＨＩＶに感染したある種のリンパ球（Ｔ細胞）である。ＨＩＶには、ＨＩＶ−１、ＨＩＶ−２の2種類が例示される。
【００４２】
また、例えば結核では、結核菌がある種の白血球細胞（単球）に感染する。この場合、本発明の検出方法における検出対象である特定の細胞は、結核菌に感染した血液細胞、すなわち結核菌に感染したある種の白血球細胞（単球）である。
【００４３】
本発明の検出方法は、このほかの感染症における感染血液細胞も検出の対象とすることができる。
【００４４】
また、血液細胞としては血液に含まれる細胞であれば限定されない。血液細胞として赤血球、血小板、白血球（リンパ球、単球、好中球、好酸球、好塩基球）が例示される。例えば、これら血液細胞を複数含む試料を、本発明の検出方法へ供する、複数の細胞を含む試料として用いることができる。例えば、複数の血液細胞を含む血液や体液を当該試料として用いることができる。
【００４５】
本発明の検出方法により、培養細胞中の特定の細胞を検出することもできる。培養細胞は本発明の効果が奏される限り特に限定されないが、哺乳類又は昆虫由来の細胞株（例えばＨＥＫ２９３細胞、Ｈｅｌａ細胞、３Ｔ３細胞、ＣＯＳ−７細胞、ＣＨＯ細胞、Ｊｕｒｋａｔ細胞、Ｓｆ９細胞等）や酵母が好ましく例示できる。
【００４６】
本発明の検出方法は標的とする特定の細胞が試料中に極微量しか存在していなくとも（例えば試料の細胞中の存在割合が０．００１〜０．００００１％であっても）、該特定の細胞を十分に検出することが可能であるため、検出標的となる特定の細胞の存在割合が非常に小さい試料を用いるときに特に有利である。このような例としては、例えば、血液中に循環している癌細胞は血中循環腫瘍細胞（ＣＴＣ）を挙げることができる。また例えば、妊娠女性の血中に存在する胎児由来の有核赤血球を挙げることができる。また例えば癌細胞群中に存在する癌幹細胞を挙げることができる。癌幹細胞は、自己複製能と増殖能を有し、悪性腫瘍（癌）にごくわずか存在しており、幹細胞と同様のマーカー（例えばCD34、CD133、CD117、Sca-1等）を発現していると言われており、本発明の検出方法によれば、好ましく検出することができると考えられる。
【００４７】
またあるいは、特定の遺伝子やタンパク質を発現している細胞も、本発明の検出方法の検出対象になりえる。
【００４８】
本発明の検出方法においては、特定のマイクロアレイチップが用いられる。本発明は、当該特定のマイクロアレイチップも包含する。
【００４９】
当該チップは、複数のマイクロチャンバーを備えており、該マイクロチャンバー１つあたりに複数の細胞を単層に格納可能であり、表面の水接触角が１０°以下であり、該マイクロチャンバーの（内径：深さ）の比が（１：０．３５〜１）であり、以下の（ｉ）（ｉｉ）の条件のいずれか一方又は両方を満たす、マイクロアレイチップである。
（ｉ）最外部に存在するマイクロチャンバーの開口部の中心を直線でつないで囲った領域の面積を１００％とし、その領域におけるマイクロチャンバー開口部以外の部分が占める面積比率を間隙率としたとき、間隙率が０％より大きく４５％以下である。
（ｉｉ）マイクロチャンバーとマイクロチャンバーとの間隔が、３５μｍ以下である。
以下、さらに詳細に説明する。
【００５０】
マイクロアレイチップの基板は限定されず、ポリスチレン、ポリエチレン、ポリプロピレン、ポリアミド、ポリカーボネート、ポリジメチルシロキサン（ＰＤＭＳ）、ポリメチルメタクリレート（ＰＭＭＡ）、環状オレフィンコポリマー（ＣＯＣ）等のポリマー、シリコン等の金属、ガラス、石英ガラス、またポリマーとガラスや金属等を張り合わせたような複数の素材を組み合わせたもの（例えばＰＤＭＳとガラス）等が例示される。好ましくは、ポリスチレン、ＰＭＭＡ、ガラス、シリコン等である。
【００５１】
マイクロアレイチップの大きさは限定されず、検出標的である特定の細胞を検出・測定する装置に応じて適宜選択される。
【００５２】
該マイクロアレイチップにはマイクロチャンバーが形成されている。マイクロチャンバーは基板に直接加工を施すことにより作製してもよく、マイクロ貫通孔もしくはマイクロチャンバーが形成されたフィルムをこれらの基板に貼り付けることにより作製してもよい。好ましくは、マイクロチャンバーはこれらの基板に直接加工を施すことにより作製される。この場合、マイクロチャンバーは半導体研究分野における微細加工技術であるリソグラフィー法（光リソグラフィー、電子線リソグラフィー等）によって作製することはもちろんのこと、マイクロドリル等を用いて穴をあける掘削加工技術、レーザー加工等あらゆる微小穴をあける技術によって作製することができる。例えば、ＬＩＧＡ（Lithographie Galvanoformung Abformung）プロセス等が例示される。
【００５３】
該マイクロアレイチップの表面は親水性であり、具体的には表面の水接触角が１０°以下である。当該親水性を達成するため、必要に応じて表面処理を施すことができる。表面処理方法は限定されず、プラズマ処理、コロナ放電処理等が例示される。好ましくは、プラズマ処理であり、酸素プラズマ処理等が例示される。例えば、マイクロアレイチップの基板が疎水性の材料（ポリスチレン、ＰＭＭＡ等のポリマー）である場合には、酸素プラズマ処理等の親水化処理を行うことが好ましい。また、マイクロアレイチップの基板が親水性の材料（シリコンやガラス等）であって水接触各が１０°以下である場合には、このような処理をしなくともよい。
【００５４】
マイクロアレイチップの表面の水接触角は、より好ましくは８°以下、さらに好ましくは５°以下である。なお、“マイクロアレイチップの表面”とはマイクロチャンバーの内部の表面も含む意味である。
【００５５】
このため、前述のマイクロアレイチップの基板表面の水接触角が前述する範囲にあるものであれば更に処理を施さなくてもよく、前述する好適な範囲にないものは、当該好適な範囲になるよう、その表面が処理されればよい。当業者であれば、細胞の接着の程度等を検討しつつ、最適な水接触角となるようマイクロアレイチップに表面処理を施すことができる。例えばマイクロアレイチップの基板としてポリマー素材のものを使用する場合には、その表面に酸素プラズマ処理等を行うことにより水接触角を調整すればよい。
【００５６】
なお、水接触角は次のように測定される。水接触角は公知の方法であるθ/２法を用いて測定される。θ/２法とは液滴の左右端点と頂点を結ぶ直線の、固体表面に対する角度から接触角を求める方法である。例えば、マイクロアレイチップの表面において水接触角を求める場合、蒸留水を該表面の異なる複数の場所に滴下し、それぞれ滴下した液滴の接触角を求める。これにより得られる値を水接触角ということができる。例えば、上記方法に従い、接触角計（協和界面科学株式会社製）を用いて、蒸留水１〜２μlをマイクロアレイチップ基板の異なる複数の地点（５点以上）に滴下して水接触角を測定することができる。
【００５７】
マイクロチャンバーの形状は特に限定されない。マイクロチャンバーの形状としては円筒形、逆半球形、逆円錐形、逆角錐形（逆三角錐形、逆四角錐形、逆五角錐形、逆六角錐形、七角以上の逆多角錐形）、直方体等、さらにこれらの形状の二つ以上を組み合わせた形状が例示される。前記円筒形や直方体の場合はマイクロチャンバーの底部は通常平坦であるが、曲面、凸面、凹面とすることもできる。また、前記逆円錐形や逆角錐形の場合は底面がマイクロチャンバーの開口となるが、逆円錐形、逆角錐形の頂上から一部を切り取った形状（マイクロチャンバーの底部は平坦な形状）も例示できる。さらに、逆円錐形、逆角錐形の頂上から一部を切り取った形状の場合は、前述と同様に、マイクロチャンバーの底部を曲面等とすることもできる。マイクロチャンバーの形状は好ましくは円筒形、逆半球形、逆円錐形、逆角錐形であり、より好ましくは円筒形、逆半球形であり、最も好ましくは円筒形である。また、マイクロチャンバーは、一枚のマイクロアレイチップにおいて、好ましくは一種類の形状からなる。
【００５８】
本発明のチップの一形態においては、マイクロチャンバーの開口部の面積と開口部以外の面積の比率が重要となる。具体的には、マイクロアレイチップの最外部に存在するマイクロチャンバーの開口部の中心を直線でつないで囲った領域の面積を１００％とし、その領域におけるマイクロチャンバー開口部以外の部分が占める面積比率を間隙率としたとき、前記マイクロアレイチップの間隙率は０％より大きく４５％以下である。
【００５９】
開口部の中心とは、本発明では開口部の図形の重心である。例えば、開口部が円や正多角形である場合には、重心は中心と重なる。開口部は、円又は正多角形（正三角形、正四角形、正六角形など）が好ましく、特に正六角形が好ましい。
【００６０】
マイクロアレイチップの最外部に存在するマイクロチャンバーの開口部の中心を直線でつなぐ、とは、次の条件（１）（２）を満たすように多数の開口部の中心を直線でつなぐことをいう。
（１）：直線でつながれる中心の数が最小になるようにする。
（２）：直線でつないで囲った領域内に、全ての開口部の中心が含まれるようにする。
例えば、図１ａに記載の１０個の開口部があった場合には、図１ｂのように各開口部を直線でつなぐ。図１ｃのようにつないだ場合には、全ての中心が囲まれた領域に存在するものの、条件（１）を満たしておらず、また、図１ｄのようにつないだ場合には、条件（１）も（２）も満たしていない。
【００６１】
また例えば、開口部が格子状に整列している場合には、囲まれた領域は長方形になる場合がある。例えば、図２ａに、開口部が円であって格子状に整列している場合の例を示す。また、図２ｂに、開口部が正六角形であって格子状に整列している場合の例を示す。これらの例においては、いずれも、赤枠（長方形）で囲まれた部分の面積を１００％とした場合の、塗りつぶされた部分の面積比率（％）が間隙率である。なお、制限されるわけではないが、開口部は、格子状に整列していることが好ましい。
【００６２】
本発明のマイクロアレイチップにおいて、間隙率は、前述の通り０％より大きく４５％以下であり、約１〜４２．５％が好ましく、約２〜４０％がより好ましく、約３〜３５％がさらに好ましく、約５〜３０％がよりさらに好ましい。なお、下限については、チップ製造の簡便さの観点から考えれば、約１０％以上が好ましく、約１５％以上がより好ましく、約２０％以上がさらに好ましい。
【００６３】
一枚のマイクロアレイチップにできるだけ多数の細胞を保持できることが好ましい。マイクロアレイチップに細胞が保持されるとは、マイクロアレイチップに備えられたマイクロチャンバーに細胞が格納されることであり、従ってマイクロチャンバーの数が多いほど、マイクロアレイチップは多くの細胞を保持できる。
【００６４】
特に限定されるわけではないが、一枚のマイクロアレイチップに１万個以上の細胞を保持できるようにすることが好ましい。また、１０万個以上がより好ましく、１００万個以上がさらに好ましく、１０００万個以上がよりさらに好ましい。
【００６５】
例えば、１００万個に１個の割合で存在し得る標的細胞を検出する場合、一枚のマイクロアレイチップに１００万個以上の細胞を保持できるようにすることが好ましい。より好ましくは２００万〜１０００万個、さらに好ましくは３００万〜１０００万個の細胞を担持できるようにする。この場合、一枚のマイクロアレイチップに１万個以上のマイクロチャンバーを設けることが特に好ましい。
【００６６】
また、各マイクロチャンバーに１０個以上の細胞を格納できるようにすることが好ましく、より好ましくは５０〜５００個、さらに好ましくは５０〜３００個の細胞を格納できるようにする。
【００６７】
例えば、一枚のマイクロアレイチップに１０万個のマイクロチャンバーを設け、各マイクロチャンバーに約１０個ずつ細胞を格納させた場合には、マイクロアレイチップ一枚あたり約１００万個の細胞が保持されていることとなる。
【００６８】
マイクロチャンバーの寸法は、各マイクロチャンバーに同数程度の細胞を格納されるように決定される。各マイクロチャンバーの寸法は同一であることがさらに好ましい。なお、マイクロチャンバーの開口部が円形である場合には、「内径」とはマイクロアレイチップ表面におけるマイクロチャンバーの開口部の直径を意味する。マイクロチャンバーの開口部が正多角形である場合には、「内径」とは当該正多角形の一つの角と中心とを通る当該正多角形内の線分の長さを意味する。マイクロチャンバーの開口部がこれら以外である場合には、「内径」とはマイクロチャンバーの開口部の内部において設置できる最長の線分の長さを意味する。また、「深さ」とは、マイクロチャンバーの開口部と、マイクロチャンバーの最も深い場所の距離を意味する（図３）。
【００６９】
本発明のマイクロアレイチップが備えるマイクロチャンバーの（内径：深さ）の比は（１：０．３５〜１）である。特に、（内径：深さ）の比が（１：０．３５〜１）であることが好ましく、（１：０．３５〜０．８５）であることがより好ましく、（１：０．４〜０．８５）であることがさらに好ましく、（１：０．４５〜０．８）であることがよりさらに好ましい。
【００７０】
また、マイクロチャンバーの内径は好ましくは２０〜５００μｍ、より好ましくは２０〜４００μｍ、さらに好ましくは２０〜３００μｍ、よりさらに好ましくは３０〜２５０μｍ、特に好ましくは３０〜２００μｍである。また、その深さは、内径の値にもよるが、好ましくは２０〜２００μｍ、より好ましくは２０〜１００μｍ、さらに好ましくは２０〜８０μｍ、よりさらに好ましくは２０〜７０μｍ、特に好ましくは３０〜７０μｍである。
【００７１】
なお、上述の（内径：深さ）の比により、内径の値が決まれば、マイクロチャンバーの深さの好ましい値を決めることができる。ただし、マイクロチャンバーは細胞を格納するため、２０μｍ以上の深さを有することが好ましい。すなわち、マイクロチャンバーは、内径及び深さが上述の比の関係を有し、内径が上述の値を有し、かつ深さが２０μｍ以上であるものが特に好ましい。
【００７２】
上記の水接触角及びマイクロチャンバーの（内径：深さ）の比を具備することにより、本発明のマイクロアレイチップは、そのマイクロチャンバーの底に細胞を均一に一層（単層）として保持させることができる。すなわち、各マイクロチャンバーの底辺に、ほとんど重複することなく細胞を保持することができる。このため、マイクロチャンバー内で細胞が重なり、検出標的である特定の細胞が他の細胞の下に位置することになって、検出が困難になるなどの問題が起きにくい。また、単層であることにより、顕微鏡で観察する際に焦点を容易に合わせることができる。共焦点レーザー顕微鏡による観察においても、バックグラウンドを抑制でき、高感度での観察が可能となる。
【００７３】
このようなマイクロチャンバーであれば、細胞をより均一かつ効率よく、単層として、マイクロチャンバー内に格納させることができる。
【００７４】
マイクロチャンバーの数も特に限定されない。前述のように、マイクロアレイチップに保持される細胞数が多ければ多いほど、感染した血液細胞を高感度に検出することができる。特に制限されないが、マイクロチャンバーの数は、一枚のマイクロアレイチップあたり１０００個以上、より好ましくは２，０００〜５０，０００個、さらに好ましくは２，０００〜２０，０００個である。上述のように、例えば１０万個設けることもできる。さらには、〜１００万個、〜１０００万個、あるいは〜１億個程度設けてもよい。
【００７５】
マイクロアレイチップは、当該分野で従来公知の方法により適宜作製される。例えば、マイクロアレイチップの作製は、リソグラフィーとエッチングという手法を用いてチップの鋳型を作製し、その鋳型からチップを成型する方法が例示される。本発明においては、当該方法により前述のマイクロアレイチップを作製した。具体的には、マイクロアレイチップの基板としてポリマー（プラスチック）素材のチップを使用し、電子線リソグラフィー法の中でも、Ｘ線リソグラフィーと、電鋳（メッキ）、形成の技術を用いて作製するＬＩＧＡプロセスに従い、前述のマイクロアレイチップを作製することができる。
【００７６】
本発明の検出方法は、複数の細胞を含む試料から、該試料に含まれる特定の細胞を検出するための検出方法であって、前記マイクロアレイチップに、試料中の細胞を保持させる工程、及び、該マイクロアレイチップに保持された細胞において特定の細胞の有無を検出する工程、を少なくとも含有する。
【００７７】
マイクロアレイチップへの細胞の保持は、細胞をマイクロアレイチップに接触させ、細胞をマイクロアレイチップ上に展開し、細胞を各マイクロチャンバーに格納したのち、必要に応じて過剰な細胞をマイクロアレイチップから除去（洗浄）する手順を経ることにより可能となる。
【００７８】
ここで、細胞のマイクロアレイチップへの接触は、細胞をマイクロアレイチップに接触させられる限り、その方法は限定されない。例えば、培養細胞や生体から採取した細胞そのものをマイクロアレイチップに接触させることにより行ってもよく、これらを緩衝液や培養液等の溶液と混合させ、得られた混合液をマイクロアレイチップに接触させることによりおこなってもよい。
【００７９】
例えば、血液細胞のマイクロアレイチップへの接触は、採取した血液そのものをマイクロアレイチップに接触（添加、滴下等）させることにより行ってもよく、採取した血液を緩衝液や培養液等の溶液と混合させ、得られた混合液をマイクロアレイチップに接触させることにより行ってもよい。また、血液細胞のマイクロアレイチップへの接触は、採取した血液から血液細胞を分取し、これを緩衝液や培養液等の溶液と混合させた後に、該混合液をマイクロアレイチップに接触させることにより行ってもよい。
【００８０】
また、培養細胞（例えば哺乳類細胞）のマイクロアレイチップへの接触は、培養した細胞を培地ごとマイクロアレイチップに接触（添加、滴下等）させることにより行ってもよく、培養細胞をふくむ培地を緩衝液や培養液等の溶液と混合させ、得られた混合液をマイクロアレイチップに接触させることにより行ってもよい。また、培養細胞を培地から回収し、これを緩衝液や培養液等の溶液と混合させた後に、該混合液をマイクロアレイチップに接触させることにより行ってもよい。
【００８１】
また、細胞のマイクロアレイチップ上への展開も、細胞をマイクロアレイチップ上に展開できる限り、その方法は限定されない。複数の細胞（細胞群）そのものをマイクロアレイチップに接触させることにより細胞をマイクロアレイチップ上に展開させてもよく、接触させた後さらに展開液を用いて展開させてもよい。展開液としては、緩衝液、培養液、界面活性剤等が例示される。
【００８２】
例えば、マイクロアレイチップ上への展開させる細胞が血液細胞の場合、前述のように血液細胞をマイクロアレイチップに接触させることにより血液細胞をマイクロアレイチップ上に展開させてもよく、また接触させた血液細胞を、さらに展開液を用いて展開させてもよい。また例えば、展開させる細胞が培養細胞の場合であっても、血液細胞と同様にしてマイクロアレイチップ上に展開させることができる。少なくともこのような手順を経ることにより、細胞（例えば血液細胞や培養細胞）を各マイクロチャンバーに格納することができる。
【００８３】
マイクロアレイチップ上に細胞を展開する際の細胞の濃度は、細胞種にもよるが、例えば１×１０１０〜１×１０４（ｃｅｌｌｓ／ｍｌ）が例示できる。下述するように、細胞を展開後、過剰な細胞の除去を行うことで、各マイクロチャンバー内にほぼ均一に単層として細胞を格納することができる。また、用いる細胞種やマイクロアレイチップに応じて適宜展開させる細胞濃度を調整してもよい。
【００８４】
過剰な細胞のマイクロアレイチップからの除去（洗浄）も、マイクロアレイチップから（すなわちマイクロチャンバー内及びマイクロチャンバー外から）過剰な細胞を除去できる限り、その方法は限定されない。
【００８５】
例えば、ピペットマン等を用いて、マイクロアレイチップを軽く傾けて緩衝液、培養液、界面活性剤、酵素等の洗浄液を流すことにより過剰な細胞を除去してよい。また、マイクロチャンバー以外の部分に吸着した余分な細胞を除去、洗浄する際には、セルスクレイパー等の器具を使用しても良い。
【００８６】
ただし、洗浄を行うことにより余分な細胞が除去されるということは、サンプル中の細胞が無駄になっているということである。従って、細胞を無駄にしないという観点からは、洗浄はできる限り行わないようにすることが好ましい。洗浄回数を減らす又は行わないようにするためには、サンプル中の細胞濃度を調整することが好ましい。例えば、１×１０６〜１×１０８ｃｅｌｌｓ／ｍｌ程度が好ましく、１×１０７〜１×１０８ｃｅｌｌｓ／ｍｌ程度がより好ましい。細胞が赤血球や培養細胞（例えば哺乳類由来細胞）である場合、特に好ましく当該細胞濃度を適用することができる。
【００８７】
またさらに、本発明のチップのさらに好ましい一形態においては、マイクロチャンバーとマイクロチャンバーとの間隔が、次のような条件であることが好ましい。
すなわち、マイクロチャンバーとマイクロチャンバーとの間隔は、出来るだけ等間隔であることが好ましい。また、用いる細胞種や、マイクロチャンバーの内径及び深さ等にもよるが、当該間隔は３５μｍ以下であることが好ましく、３０μｍ以下であることがより好ましい。
【００８８】
なお、マイクロチャンバーとマイクロチャンバーとの間隔とは、各マイクロチャンバーの開口部の中心と中心を結ぶ直線の長さ（中心間距離）から、当該直線とマイクロチャンバーの開口部とが重複する部分を除いた長さをいう。例えば、チャンバー開口部が正六角形であり、内径が１００μｍ、中心間距離が２００μｍであると、そのマイクロチャンバー間の間隔は、２００−（５０／２×３１／２）≒１５６．７μｍ程度になる。また例えば、チャンバー開口部が円形であり、内径が１００μｍ、中心間距離が２００μｍであると、そのマイクロチャンバー間の間隔は、２００−（５０＋５０）＝１００μｍになる。
【００８９】
上述した、マイクロアレイチップの表面の水接触角条件（１０°以下）、及びマイクロチャンバーの（内径：深さ）の比の条件（１：０．３５〜１）、と当該マイクロチャンバーとマイクロチャンバーとの間隔の条件を組み合わせることにより、洗浄を行う必要性をより小さくすることができる。
【００９０】
すなわち、本発明は、複数のマイクロチャンバーを備えており、該マイクロチャンバー１つあたりに複数の細胞を単層に格納可能であり、表面の水接触角が１０°以下であり、該マイクロチャンバーの（内径：深さ）の比が（１：０．３５〜１）であり、マイクロチャンバーとマイクロチャンバーとの間隔が等間隔（好ましくは３５μｍ以下、より好ましくは３０μｍ以下）である、マイクロアレイチップをも包含する。
【００９１】
より好ましくは、さらに上記特定の間隙率及び／又は好適なサンプル中の細胞濃度をも組み合わせることにより、洗浄を行う必要性がより小さくなり、特に好ましくは洗浄を行わなくともよくなる（すなわち、各マイクロチャンバー内にほぼ均一に単層として細胞を格納することができる）ため、細胞を効率よく利用することができる。また、その他上述したマイクロアレイチップの条件をさらに組み合わせて好ましいマイクロアレイチップとすることもできる。
【００９２】
なお、マイクロチャンバーの形状にもよるが、通常、マイクロチャンバーとマイクロチャンバーとの間隔が等間隔であって３５μｍ以下である場合には、上記特定の間隙率も満たすと考えられる。
【００９３】
検出標的である特定の細胞の有無を検出するにあたっては、当該特定の細胞を検出できる限り、その方法は限定されない。
【００９４】
例えば、検出標的である特定の細胞が形態変化を起こす細胞である場合は、顕微鏡観察により細胞の形態を観察することにより、検出することができる。また、当該特定の細胞に特異的に結合する物質が存在する場合、当該物質を用いて結合の有無を検出することで検出することができる。このような物質としては、例えば抗体やアプタマー等を挙げることができるが、これらに限定されない。またあるいは、当該特定の細胞に特異的に反応する物質が存在する場合、当該物質を用いて反応の有無を検出することで検出することもできる。
【００９５】
このような結合や反応の有無を検出する方法も特に限定されないが、蛍光を用いるのが好適である。例えば、特定の細胞に特異的に結合する物質に蛍光標識を施してから用いれば、試料中の特定の細胞のみを標識することができる。よって、蛍光の有無により該特定の細胞の有無を容易に検出できる。
【００９６】
特に、マイクロアレイチップに試料を接触させる前に、該試料中の特定の細胞のみが標識されるよう蛍光標識を施し、細胞がマイクロチャンバー内に保持された後に当該蛍光標識を検出して特定の細胞の有無を検出することができる。また、細胞がマイクロチャンバー内に保持された後、特定の細胞のみを蛍光標識してもよい。
【００９７】
例えば、血液細胞中から病原性微生物が感染した血液細胞を検出する場合、マイクロアレイチップに血液細胞を接触させる前に、感染した血液細胞中の病原性微生物の核を蛍光染色し、蛍光顕微鏡やアレイスキャナー等の装置を用いて、該蛍光に基づき感染した血液細胞を検出できる。あるいは、マイクロアレイチップに形成されたマイクロチャンバーに血液細胞を格納した後に、血液細胞中の病原性微生物の核を蛍光染色し、同様に感染した血液細胞を検出してもよい。例えばベッドサイド等において感染した血液細胞を検出しようとする場合には、マイクロアレイチップに血液細胞を接触、展開させる前に感染した血液細胞中の病原性微生物の核等を蛍光染色させたほうが、接触、展開後の処理が簡便になるため、一層簡単に感染した血液細胞を検出することができる。また、例えば、血液細胞中の病原性微生物の核に限定されず、例えば蛍光標識された抗体を用いることによって特定タンパク質（特定アミノ酸配列）を標的としたり、蛍光標識されたプローブを用いることによって特定の遺伝子配列を標的としてもよい。
【００９８】
また、例えば、培養細胞中特定のマーカーを発現した細胞を検出したい場合は、当該マーカーに特異的であって蛍光標識された抗体を予め培養細胞に作用させておき、マイクロチャンバー内に保持された後、蛍光顕微鏡やアレイスキャナー等の装置を用いて該蛍光に基づき当該特定の細胞を検出できる。あるいは、マイクロアレイチップに形成されたマイクロチャンバーに培養細胞を格納した後に、培養細胞中の特定のマーカーを発現した細胞を蛍光標識された抗体を用いて標識し、該蛍光に基づき当該細胞を検出してもよい。
【００９９】
具体的に一例を説明すると、まず、感染赤血球細胞を含む赤血球細胞懸濁液において、原虫等の感染微生物の核が染まるように蛍光染色して感染赤血球細胞を標識し、場合によっては赤血球細胞も蛍光物質等で標識を行う。この標識された感染赤血球細胞を含む赤血球細胞懸濁液をマイクロアレイチップ上に展開し、必要に応じて過剰な血液細胞を除去・洗浄した後、蛍光顕微鏡やマイクロアレイスキャナー等によって、蛍光検出を行う。これにより、蛍光強度や標識された細胞の数等を調べることによって、感染症の有無はもちろん、程度及び種類等についても解析することができる。
【０１００】
このような本発明の検出方法では、例えば図３のように、マイクロアレイチップ上に縦５０個、横２００個になるようにマイクロチャンバーを配置させ、各マイクロチャンバーに１００個ずつ血液細胞を格納させることもできる。そして、１つのマイクロチャンバーあたり１つの感染した血液細胞が検出された場合には、その感染率は１％と判断することができる。
【０１０１】
また、本発明の検出方法では、例えばマイクロアレイチップに合計１００万個の血液細胞を保持させ、そのうち１つの血液細胞が感染した場合であっても、この感染した血液細胞を検出することができる。この場合、本発明の検出方法によれば感染した血液細胞が試料中に０．０００１％しか存在していなくとも、検出することが可能であるといえる。
【０１０２】
本発明の検出用キットは、複数の細胞を含む試料から特定の細胞を検出するためのキットであって、上記のマイクロアレイチップを含有することを特徴とする。
本発明の検出用キットに含有されるマイクロアレイチップ以外のものとしては限定されないが、以下のものが例示される。
【０１０３】
本発明の検出用キットにはさらに、マイクロアレイチップに細胞を接触させる際に使用され得る緩衝液、培養液等が含有されていてもよい。
【０１０４】
本発明の検出用キットにはさらに、マイクロアレイチップに細胞を展開させる際に使用され得る緩衝液、培養液、界面活性剤等が含有されていてもよい。
【０１０５】
本発明の検出用キットにはさらに、マイクロアレイチップから過剰な細胞を除去（洗浄）する際に使用され得る緩衝液、培養液、界面活性剤、酵素等の洗浄液等が含有されていてもよい。
【０１０６】
本発明の検出用キットにはさらに、マイクロアレイチップに細胞を接触、展開、さらにマイクロアレイチップから細胞を除去等させる際に使用され得るピペットマン等が含有されていてもよい。
【０１０７】
本発明の検出用キットにはさらに、マイクロチャンバー以外の部分に吸着した余分な細胞を除去、洗浄する際に使用され得るセルスクレイパー等の器具が含有されていてもよい。
【０１０８】
本発明の検出用キットにはさらに、検出標的である特定の細胞を検出するための装置が含有されていてもよい。装置としては、蛍光顕微鏡、マイクロアレイスキャナー等が例示される。
【０１０９】
また、例えば検出標的である特定の細胞が最終的に蛍光染色されることにより検出される場合、本発明の検出用キットには、該特定の細胞を染色するための蛍光染色剤（例えば蛍光色素、蛍光標識済み抗体等）が含有されていてもよい。
【０１１０】
本発明の検出用キットにはさらに、該検出用キットの使用マニュアルが含有されていてもよい。
【０１１１】
このような本発明の検出用キットを使用することにより、検出標的である特定の細胞が試料中に存在する割合が低くても（例えば０．０００１％しか存在していなくとも）、迅速かつ簡便に当該特定の細胞を検出することが可能である。
【０１１２】
また、本発明のマイクロアレイチップは、下述するように薬剤候補物質のスクリーニングにも好ましく用いることができる。各マイクロチャンバーにほぼ同数の細胞が格納されるため各マイクロチャンバー内の細胞の状態が均一となり、異なる薬剤候補物質を各マイクロチャンバーへと添加した際、それぞれの薬剤候補物質がどのような影響を細胞へ与えるのかを比較評価しやすいからである。
【０１１３】
本発明の薬剤候補物質のスクリーニング方法により、種々の薬剤候補物質が細胞に与える影響を簡便かつ迅速に測定し、所望の活性を示す物質を効率よく選択することができる。
【０１１４】
本発明の薬剤候補物質のスクリーニング方法には、複数のマイクロチャンバーを備え、該マイクロチャンバー内には細胞が保持されているマイクロアレイチップを用いる。
【０１１５】
本発明の薬剤候補物質のスクリーニング方法では、まず、前記細胞が保持されたマイクロチャンバーに薬剤候補物質を添加する。マイクロアレイチップが備える全てのマイクロチャンバーに同一の薬剤候補物質を添加してもよいし、マイクロチャンバーによって添加する薬剤候補物質を変えてもよい。また、いくらかのマイクロチャンバーには薬剤候補物質を加えず、これらのマイクロチャンバーに保持された細胞をコントロールとして用いるのが好ましい。
【０１１６】
薬剤候補物質を添加した後、該薬剤候補物質がマイクロチャンバー内に保持される細胞に与える影響を測定する。当該影響の測定の方法は、用いる薬剤候補物質、用いる細胞、及び所望の活性に応じて適宜設定すればよい。
【０１１７】
例えば、抗ガン剤として作用する物質をスクリーニングしたい場合は、マイクロチャンバー内に癌細胞を保持し、薬剤候補物質を添加して、当該癌細胞がどの程度の割合及び時間で死滅するかを測定すればよい。
【０１１８】
そして、当該測定結果に基づいて、実験に供した薬剤候補物質の中から所望の活性を示す物質を選択すればよい。例えば、上記の抗ガン剤として作用する物質をスクリーニングする例であれば、癌細胞が高効率で死滅する作用を示した物質を選択すればよい。
【０１１９】
このようにすることで、多数の薬剤候補物質を簡便かつ迅速にスクリーニングすることができる。
【０１２０】
また、本発明の薬剤候補物質のスクリーニング方法に用いられるマイクロアレイチップは、上述の本発明のマイクロアレイチップであることが好ましい。本発明のマイクロアレイチップであれば、細胞をより均一かつ効率よく、単層として、マイクロチャンバーに格納させることができる。
【０１２１】
また、本発明のマイクロアレイチップによれば、細胞をマイクロチャンバー内で少なくとも数日以上培養することができる。このため、本発明のマイクロアレイチップを用いて本発明の薬剤候補物質のスクリーニング方法を実施すれば、薬剤候補物質を添加した後細胞を数日以上培養して維持した後、当該物質が細胞に与える影響を測定することができる。
【０１２２】
またさらに、本発明のマイクロアレイチップでは、各マイクロチャンバーにほぼ同数の細胞が保持されるため、各マイクロチャンバー内の細胞の状態を均一とすることができる。よって、本発明のマイクロアレイチップを用いて本発明の薬剤候補物質のスクリーニング方法を実施すれば、異なる薬剤候補物質を各マイクロチャンバーへと添加した際、それぞれの薬剤候補物質がどのような影響を細胞へ与えるのかを比較評価しやすい。
【実施例】
【０１２３】
以下、実施例を挙げて本発明について説明するが、本発明は該実施例に限定されない。【０１２４】
実施例１
＜マイクロアレイチップ＞
次のマイクロアレイチップを使用した。
マイクロアレイチップの基板：ポリスチレン
マイクロアレイチップの表面処理：酸素プラズマ処理
マイクロチャンバーの形成：ＬＩＧＡプロセス
マイクロチャンバーの形状：正六角柱形
マイクロチャンバーの寸法：内径１００μｍ、深さ５０μｍ
マイクロチャンバー同士の距離：チャンバーの開口部（正六角形）の中心間距離２００μｍ（等間隔で配置されている）
マイクロアレイチップの表面の水接触角：１０°
該マイクロアレイチップを図５に示す。【０１２５】
当該マイクロアレイチップは次のようにして製造した。
ＬＩＧＡプロセスによって作製されたスターライト工業株式会社製のマイクロアレイチップを使用した。具体的には、該マイクロアレイチップは、Ｘ線リソグラフィー法によって、ＰＭＭＡ基板にパターニングし、エッチングによってＰＭＭＡの鋳型を作り、そこで電鋳（メッキ）を行い、作製されたニッケルの金型にポリスチレンを流し込んで成型されたものである。【０１２６】
該マイクロアレイチップの表面を、反応性イオンエッチング（ＲＩＥ：Reactive Ion Etching）装置（サムコ株式会社製）によって２００Ｗの出力、２０秒程度の処理時間で酸素プラズマ処理を行うことにより、チップ基板表面を親水化した。【０１２７】
このように親水化したマイクロアレイチップ表面の水接触角は次のようにθ/２法により測定した。具体的には、得られたマイクロアレイチップの表面の異なる複数の地点（５点以上）に蒸留水１〜２μlを滴下して、接触角計（協和界面科学株式会社製）を用いて、室温にて水接触角を測定した。得られた値の平均値を求めることにより、水接触角を決定した。【０１２８】
また、マイクロアレイチップ上に細胞懸濁液が展開しやすいように、マイクロチャンバー内に空気が入らないようにするため、親水化したマイクロアレイチップに対して事前に超音波処理を行った。超音波処理は、一般的に用いられる超音波洗浄装置を用いて、培地（ＲＰＭＩ１６４０）を入れたビーカーに表面処理を行ったマイクロアレイチップを浸して、約５分間処理を行った。【０１２９】
＜赤血球の検出手順＞
次のようにして赤血球を検出した。
まず、ヒトから採血、遠心分離（４℃、１５００ｇ、３０ｍｉｎ）することにより得た赤血球を培地（ＲＰＭＩ１６４０）で懸濁することにより、ヒト由来の赤血球細胞懸濁液（懸濁液中の赤血球濃度１×１０８ｃｅｌｌｓ／ｍｌ）を得た。得られた赤血球細胞懸濁液２００μｌを、マイクロピペットを用いてマイクロアレイチップ上に添加することにより、マイクロアレイチップに赤血球を接触、展開させ、さらにマイクロピペットにより培養液（ＲＰＭＩ１６４０）１ｍｌで洗浄を行った後、顕微鏡下で赤血球が格納されているマイクロチャンバーを測定した。結果を図６に示す。図６から、マイクロチャンバーの底に細胞（赤血球）を均一に一層（単層）として保持させ得ることが確認できた。【０１３０】
実施例２
＜水接触角の検討＞
水接触角と細胞の展開効率について、以下のようにして比較した。ただし、当該検討で用いたマイクロアレイチップは、前記マイクロアレイチップにおいて、以下のように変更を加えて製造したものを使用した。
マイクロチャンバーの形状：円筒形
マイクロチャンバーの寸法：内径１００μｍ、深さ１００μｍ【０１３１】
また、酸素プラズマ処理条件を変更することより、水接触角の異なる３種のマイクロアレイチップ（水接触角８０°、２５°、１０°）を作製した。具体的には、以下の条件下で酸素プラズマ処理を実施した。
水接触角８０°のマイクロアレイチップ：ＲＩＥ装置（サムコ株式会社製）を用いて、出力２００Ｗ、３秒の処理時間で表面処理を行った。
水接触角２５°のマイクロアレイチップ：ＲＩＥ装置を用いて、出力２００Ｗ、５秒の処理時間で表面処理を行った。
水接触角１０°のマイクロアレイチップ：ＲＩＥ装置を用いて、出力２００Ｗ、２０秒の処理時間で表面処理を行った。【０１３２】
上記と同様にして赤血球を用いて細胞の展開効率を検討した。結果を図７に示す。ここで、細胞の展開効率とは、マイクロアレイチップに備えられた全マイクロチャンバー数に対する、細胞が格納されたマイクロチャンバー数の割合を意味する。【０１３３】
前述のようにして得られたマイクロアレイチップにおいては、水接触角が８０°の場合は、マイクロチャンバーに殆ど細胞が入らなかった。これに対して、水接触角を２５°にした場合には、４０％程度のマイクロチャンバーに細胞を格納することができた。また、水接触角を１０°にした場合には、９０％以上のマイクロチャンバーに細胞を格納することができた。【０１３４】
なお、水接触角を５°とした場合にも、良好（９０％以上）にマイクロチャンバーに細胞を格納することができた。【０１３５】
実施例３
＜各マイクロチャンバーによる赤血球細胞の保持能力の検討＞
マイクロアレイチップが備えるマイクロチャンバーの内径及び深さを変えたとき、マイクロチャンバー内に格納される細胞に違いが見られるかを検討した。
＜マイクロアレイチップの製造＞
下記の内径及び深さの円筒形マイクロチャンバーを備えるマイクロアレイチップを３種（マイクロアレイチップＡ〜Ｃ）製造した。
2015034011.tif 000003
【０１３６】
マイクロアレイチップＡ〜Ｃは、内径及び深さ、各マイクロチャンバー間の距離、並びに格納細胞数以外の条件は、各マイクロチャンバー間の距離を除いて全て実施例１で製造したマイクロアレイチップと同じであり、実施例１に記載の方法と同様にして製造した。なお、各マイクロチャンバー間の距離は、以下の通りである。
2015034011.tif 000004
【０１３７】
上記と同様にして、赤血球細胞懸濁液２００μｌをマイクロアレイチップ上に添加することにより、マイクロアレイチップに赤血球を接触、展開させ、洗浄して、顕微鏡下で赤血球が格納されているマイクロチャンバーを検出した。【０１３８】
結果を図８に示す。図８に示されるように、マイクロアレイチップＡ及びＣでは、顕微鏡下、各マイクロチャンバーに重なり無く格納されることが検出できた。また、顕微鏡下、細胞数を数え、各マイクロチャンバーにほぼ同数の細胞が格納されていることが検出できた。よって、各マイクロチャンバーの底に均一に、赤血球が単層に保持されていることがわかった。一方、マイクロチップＢでは、マイクロチャンバーによっては、底面のうち赤血球が接着していない部分が多く見られた。これは、マイクロアレイチップを洗浄した際に、マイクロチャンバーの底に接着していた赤血球までも洗浄により洗い流されてしまったためと考えられた。このことから、内径が５００μｍ程度の大きさのマイクロチャンバーでは、深さが１５０μｍ以下の場合、細胞を均一に単層にチャンバー内に保持するのが困難であると考えられた。また、マイクロアレイチップＡ及びＣでは各マイクロチャンバーの底に均一に、赤血球が単層に保持されていることから、マイクロチャンバーの（内径：深さ）の比は（１：０．３５〜１）程度が好ましいと考えられた。【０１３９】
実施例４
上記実施例１で用いたマイクロアレイチップを用いて、白血球を検出した。【０１４０】
具体的には、次のようにして行った。培養シャーレからトリプシンなどを用いて回収したヒト培養系白血球（CCRF-CEM）をPBSまたは培地で1.0x107celllls/ml以上に調整し、マイクロアレイチップ上にピペット等を用いて展開した。15分程度静置した後、 PBSまたは培地を用いて、ピペットなどでチップ上を洗浄し、顕微鏡等でマイクロチャンバーを観察した。結果を図９に示す。図９から、マイクロチャンバーの底に細胞（白血球）を均一に一層（単層）として保持させ得ることが確認できた。【０１４１】
なお、当該チップには白血球も適用可能であることから、全血中の白血球画分に含まれるガン細胞の検出も可能であると考えられた。また、このことから、特に血中循環癌細胞（CTC）の検出も可能であると考えられた。【０１４２】
実施例５
上記実施例１で製造したマイクロアレイチップと同様の製造方法にて、チャンバーの開口部（正六角形）の中心間距離を２００μｍとするかわりに、マイクロチャンバー間の間隔を３０μｍ又は４０μｍ（いずれも等間隔）としたマイクロアレイチップを製造した。なお、これらのマイクロアレイチップの他の構成は、実施例１で製造したマイクロアレイチップと同じとした。なお、これらのチップの間隙率を算出したところ、マイクロチャンバー間の間隔を３０μｍとしたマイクロアレイチップは約４０％、マイクロチャンバー間の間隔を４０μｍとしたマイクロアレイチップは約５０％であった。【０１４３】
そして、これらのマイクロアレイチップを用い、測定に用いた赤血球細胞懸濁液中の赤血球濃度は５×１０７ｃｅｌｌｓ／ｍｌとした点、及び洗浄を行わなかった点、以外は、実施例１で行った赤血球検出の手順と同様にして、赤血球を検出した。また、これらのマイクロアレイチップを用い、洗浄を行わなかった点以外は、実施例４で行った白血球検出の手順と同様にして、白血球を検出した。赤血球検出結果を図１０に、白血球検出結果を図１１に、それぞれ示す。【０１４４】
図１０及び図１１から、洗浄を行わない場合には、マイクロチャンバー間の間隔が３０μｍのマイクロアレイチップの方が、当該間隔が４０μｍのマイクロアレイチップに比べて、より均一に単層として細胞をマイクロチャンバー内に格納することができることがわかった。また、洗浄を行わない場合には、マイクロチャンバー間の間隔が３０μｍ程度以下である方が、より均一に単層として細胞をマイクロチャンバー内に格納することができると考えられた。
【図１ａ】
2015034011.tif 000005
【図１ｂ】
2015034011.tif 000006
【図１ｃ】
2015034011.tif 000007
【図１ｄ】
2015034011.tif 000008
【図２ａ】
2015034011.tif 000009
【図２ｂ】
2015034011.tif 000010
【図３】
2015034011.tif 000011
【図４】
2015034011.tif 000012
【図５】
2015034011.tif 000013
【図６】
2015034011.tif 000014
【図７】
2015034011.tif 000015
【図８】
2015034011.tif 000016
【図９】
2015034011.tif 000017
【図１０】
2015034011.tif 000018
【図１１】
2015034011.tif 000019
【国際調査報告】
2015034011.tif 000020
2015034011.tif 000021
2015034011.tif 000022
2015034011.tif 000023